(57)【要約】【課題】磁石ユニットにハウジング外装を取り付けるための個々の取付要素の取付位置を簡単に設定および／または調整できる装置を提供する。【解決手段】磁石ユニット（１１）の磁気中心に対して磁気共鳴装置（１０）のハウジング外装（１５）を取り付けるための取付要素（１８）の取付位置を設定および／または調整する位置設定装置において、位置設定装置が、基板ユニット（１０１，２０１）と、磁石ユニット（１１）に基板ユニット（１０１）を取り付けるための取付ユニット（１０２）と、設定ユニットとを有し、設定ユニット（１０３）が、磁石ユニット（１１）にハウジング外装（１５）を取り付けるための取付要素（１８）の取付位置をマーキングする少なくとも２つのレーザビーム（１０４，１０５，３０４，３０５）を有する。【選択図】図１
2014136159.tif 000002
【特許請求の範囲】
【請求項１】
磁石ユニット（１１）の磁気中心に対して磁気共鳴装置（１０）のハウジング外装（１５）を取り付けるための取付要素の取付位置を設定および／または調整するように設計された位置設定装置であって、位置設定装置が、基板ユニット（１０１，２０１）と、磁石ユニット（１１）に基板ユニット（１０１）を取り付けるための取付ユニット（１０２）と、設定ユニット（１０３）とを有し、設定ユニット（１０３）が、磁石ユニット（１１）にハウジング外装（１５）を取り付けるための取付要素（１８）の取付位置をマーキングする少なくとも２つのレーザビームユニット（１０４，１０５，３０４，３０５）を有する、位置設定装置。
【請求項２】
設定ユニット（１０３）が、少なくとも２つのレーザビームユニット（１０４，１０５，３０４，３０５）のうちの少なくとも１つが配置されている揺動アームユニット（１０６，３０６）を有することを特徴とする請求項１記載の位置設定装置。
【請求項３】
揺動アームユニット（１０６）が少なくとも１つの係止要素（１１１）を有し、基板ユニット（１０１）が揺動アームユニット（１０６）の少なくとも１つの係止要素（１１１）に対応する少なくとも１つの係止要素（１１２）を有することを特徴とする請求項２記載の位置設定装置。
【請求項４】
少なくとも２つのレーザビームユニット（１０４，１０５）が取付要素（１８）の少なくとも１つの取付位置をマーキングするよう揺動アームユニット（１０６）が基板ユニット（１０１）との係止位置にアライメントされているように、少なくとも１つの係止要素（１１２）が基板ユニット（１０１）に配置されていることを特徴とする請求項３記載の位置設定装置。
【請求項５】
第１のレーザビームユニット（１０４，１０５，３０４，３０５）の第１のレーザビーム（１１４，３１０）が位置設定装置の動作時に第２のレーザビームユニット（１０４，１０５，３０４，３０５）の第２のレーザビーム（１１４，３１０）と共に１つの共通な交点を有し、その共通な交点が取付要素（１８）の取付位置をマーキングするように、少なくとも２つのレーザビームユニット（１０４，１０５，３０４，３０５）が設定ユニット（１０３）に配置されていることを特徴とする請求項１乃至４の１つに記載の位置設定装置。
【請求項６】
少なくとも２つのレーザビームユニット（１０４，１０５）が、揺動アームユニット（１０６）の長手方向（１０７）に沿って、揺動アームユニット（１０６）の異なる端部領域（１０８）に配置されていることを特徴とする請求項２乃至５の１つに記載の位置設定装置。
【請求項７】
両レーザビームユニット（１０４，１０５）が、前記交点と一緒に、基板ユニット（１０１）の主広がり面（１１０）に対して平行に向けられている面を形成することを特徴とする請求項６記載の位置設定装置。
【請求項８】
少なくとも２つのレーザビームユニット（３０４，３０５）が、揺動アームユニット（３０６）の同じ端部領域（３０８）に配置されていることを特徴とする請求項２乃至５の１つに記載の位置設定装置。
【請求項９】
揺動アームユニット（３０６）の端部領域（３０８）が、揺動アームユニット（３０６）の長手方向に対して垂直に配置されたウエブ状突設部材（３０９）を有し、そのウエブ状突設部材（３０９）に、少なくとも２つのレーザビームユニット（３０４，３０５）のうちの少なくとも一方が配置されていることを特徴とする請求項８記載の位置設定装置。
【請求項１０】
揺動アームユニット（１０６，３０６）が基板ユニット（１０１）に取り外し可能に配置されていることを特徴とする請求項２乃至９の１つに記載の位置設定装置。
【請求項１１】
設定ユニット（１０３）が、取付要素（１８）に配置されている少なくとも１つの設定要素（３１５）を有し、その設定要素（３１５）が、取付位置の調整および／または設定のためにレーザビームユニット（３０４，３０５）の両レーザビームのうちの少なくとも一方を案内する少なくとも１つの光学的な光通路を有することを特徴とする請求項１乃至１０の１つに記載の位置設定装置。
【請求項１２】
設定ユニット（１０３）が取付位置の設定および／または調整のために取付要素（１８）に配置された少なくとも１つの設定要素（１１５，２１５）を有し、その設定要素（１１５，２１５）がピン状に形成されていることを特徴とする請求項１乃至１１の１つに記載の位置設定装置。
【請求項１３】
設定要素（１１５，２１５，３１５）が少なくとも１つの第１の調整要素（１１７，２１７，３１７）を有し、第１の調整要素（１１７，２１７，３１７）が、調整された状態において、少なくとも１つのレーザビームユニット（１０４，１０５，３０４，３０５）の少なくとも１つのレーザビームの放射経路内に、および／または少なくとも２つのレーザビームユニット（１０４，１０５，３０４，３０５）のレーザビーム（１１４，３１０）の交点に配置されていることを特徴とする請求項１１又は１２記載の位置設定装置。
【請求項１４】
第１の調整要素（１１７，２１７，３１７）が、その調整要素（１１７，２１７，３１７）を包囲する設定要素（１１５，２１５，２１７）の領域の形状および／または色とは異なる形状および／または色を有することを特徴とする請求項１３記載の位置設定装置。
【請求項１５】
少なくとも１つの設定要素（１１５，２１５）が、磁石ユニット（１１）の取付要素（１８）にこの取付要素（１８）の取付位置を調整するために配置されている少なくとも１つの差込部（１１６，２１６）を有することを特徴とする請求項１１乃至１４の１つに記載の位置設定装置。
【請求項１６】
設定要素（１１５，２１５）が、レーザビームユニット（１０４，１０５）のレーザビーム（１１４）によって形成された面に対して設定要素（１１５，２１５）を水平方向および／または垂直方向に調整するために、少なくとも１つの他の調整要素（１１８，２１８）を有することを特徴とする請求項１１乃至１５の１つに記載の位置設定装置。
【請求項１７】
レーザビームユニット（１０４，１０５）のレーザビーム（１１４）によって形成された面に対して設定要素（１１５，２１５）を調整および／またはアライメントするために、設定要素（１１５，２１５）が少なくとも１つの継手ユニット（１１９，２１９）を有することを特徴とする請求項１１乃至１６の１つに記載の位置設定装置。
【請求項１８】
基板ユニット（１０１）が、磁石ユニット（１１）の位置決めレーザユニット（２８）の位置および／またはビーム方向を調整および／または設定するための少なくとも１つの調整要素（１２１）を有することを特徴とする請求項１乃至１７の１つに記載の位置設定装置。
【請求項１９】
調整要素（１２１）が少なくとも１つの調整面（１２２）を有し、その調整面（１２２）が、位置決めレーザユニットの位置および／またはビーム方向を調整および／または設定するために、位置設定装置の取付状態において調整要素（１２１）に作用する重力に対して垂直に向けられていることを特徴とする請求項１８記載の位置設定装置。
【請求項２０】
磁石ユニット（１１）に対して患者寝台装置（１７）の位置を調整および／または設定するように設計されている他のレーザビームユニット（１２４）を有することを特徴とする請求項１乃至１９の１つに記載の位置設定装置。
【請求項２１】
他のレーザビームユニット（１２４）が揺動可能に基板ユニット（１０１）に配置されていることを特徴とする請求項２０記載の位置設定装置。
【請求項２２】
取付ユニット（１０２）は、基板ユニット（１０１）が配置された少なくとも１つの枠ユニット（１２７）を有することを特徴とする請求項１乃至２１の１つに記載の位置設定装置。
【請求項２３】
枠ユニット（１２７）が多角形の形状を有し、その枠ユニット（１２７）の少なくとも２つの角部領域（１３５，１４６）に、磁石ユニット（１１）に位置設定装置を取り付けるための少なくとも１つの取付手段（１３２，１４５）がそれぞれ配置されていることを特徴とする請求項２２記載の位置設定装置。
【請求項２４】
磁石ユニット（１１）に位置設定装置を取り付けるために、取付ユニット（１０２）が多角形の形状の各角部領域（１３５，１４６）に少なくとも１つの取付手段（１３２，１４５）を有することを特徴とする請求項２３記載の位置設定装置。
【請求項２５】
取付ユニット（１０２）の取付手段（１３２）の少なくとも２つが、それぞれ１つの締付部材（１３６）を有し、両締付部材（１３６）が枠ユニット（１２７）の両側部領域に配置されていることを特徴とする請求項２３又は２４記載の位置設定装置。
【請求項２６】
取付ユニット（１０２）が、締付部材（１３６）に締付けの動きを伝達するために、少なくとも１つのスライドガイド（１３８）を有することを特徴とする請求項２５記載の位置設定装置。
【請求項２７】
少なくとも２つの締付部材（１３６）が、スライドガイド（１３８）により両締付部材（１３６）間の間隔に沿った締付け移動をすることを特徴とする請求項２６記載の位置設定装置。
【請求項２８】
取付ユニット（１０２）が、位置設定装置を磁石ユニット（１１）にねじ結合するように設計されている少なくとも２つの安全部材（１３３）を有することを特徴とする請求項２２乃至２７の１つに記載の位置設定装置。
【請求項２９】
取付ユニット（１０２）が、締付部材（１３６）の締付け面に対して垂直に配置されているそれぞれ１つの支持面を有する少なくとも２つの支持部材（３４）を有することを特徴とする請求項２２乃至２８の１つに記載の位置設定装置。
【請求項３０】
安全部材（１３３）の少なくとも１つおよび／または支持部材（１３４）の少なくとも１つが、枠ユニット（１２７）のそれぞれ１つの角部領域（１３５）に配置され、その角部領域に締付部材（１３６）の１つが配置されていることを特徴とする請求項２３乃至２９の１つに記載の位置設定装置。
【請求項３１】
取付ユニット（１０２）が、枠ユニット（１２７）の少なくとも１つの第３の角部領域（１４６）内に配置されている少なくとも１つの他の取付手段（１４５）を有することを特徴とする請求項２２乃至３０の１つに記載の位置設定装置。
【請求項３２】
主磁石（１２）と傾斜磁場コイルユニット（２０）と高周波アンテナユニット（２２）と少なくとも１つの取付要素（１８）とを含む磁石ユニット（１１）と、その磁石ユニット（１１）を包囲するハウジング外装（１５）と、磁石ユニット（１１）にハウジング外装（１５）を取り付けるための取付要素（１８）の少なくとも１つの取付位置を設定および／または調整する請求項１乃至３１の１つに記載の位置設定装置とを備えている磁気共鳴装置。
【請求項３３】
少なくとも１つの取付要素（１８）が、少なくとも１つの方向に沿って取付要素（１８）の取付位置を設定する少なくとも１つの設定要素（１９）を有することを特徴とする請求項３２記載の磁気共鳴装置。
【発明の詳細な説明】
【技術分野】
【０００１】
本発明は、磁気共鳴装置のハウジング外装を磁石ユニットの磁気中心に対して配置するための取付要素の取付位置を設定および／または調整するように設計された位置設定装置に関する。
【背景技術】
【０００２】
医用磁気共鳴装置においては、しばしば幾何学的中心と磁気中心とが一致していない。この前提と更に別のシステム公差とに基づいて、磁気共鳴装置のハウジング外装は、組立時に、磁気共鳴装置の磁石ユニット、特にその磁石ユニットの高周波アンテナユニットの配置および／または位置決めに応じて正確にアライメントされなければならない。というのは高周波アンテナユニットが磁石ユニット内の磁気中心を基準にして配置されているからである。高周波アンテナユニットの配置および／または位置決めに応じたハウジング外装のこのアライメントは、顧客における磁気共鳴装置の新設時にも既設の磁気共鳴のシステムの改修時にも必要である。
【０００３】
従来、計測器および／または組立治具により、ハウジング外装の個々の取付点が、３つの空間軸線に沿って機械的に測定および／または調整されていた。しかし、磁気ユニットでのハウジング外装の取付点のこの種の設定および／または調整は、非常に面倒で高コストである。そのうえ機械的負荷に耐え得る計測器および／または組立治具は、所望の用途に必要なサイズおよびそれに関連して必要なねじれ剛性のために高価である。
【発明の概要】
【発明が解決しようとする課題】
【０００４】
本発明の課題は、磁石ユニットにハウジング外装を取り付けるための個々の取付要素の取付位置を簡単に設定および／または調整できる装置を提供することにある。
【課題を解決するための手段】
【０００５】
この課題は、独立請求項の特徴事項によって解決される。有利な実施形態は従属請求項に記載されている。
【０００６】
本発明は、磁石ユニットの磁気中心に対して磁気共鳴装置のハウジング外装を取り付けるための取付要素の取付位置を設定および／または調整するように設計された位置設定装置から出発する。
【０００７】
位置設定装置が、基板ユニットと、磁石ユニットに基板ユニットを取り付けるための取付ユニットと、設定ユニットとを有し、設定ユニットが、磁石ユニットにハウジング外装を取り付けるための取付要素の取付位置をマーキングおよび／または設定する少なくとも２つのレーザビームユニットを有することが提案される。磁気共鳴装置のハウジング外装を取り付けるための取付要素とは、磁石ユニットに対するハウジング外装の取付位置が少なくとも１つの空間方向、好ましくは少なくとも２つの空間方向、格別に好ましくは３つの空間方向に沿って設定できる取付要素であると理解すべきである。とりわけ、ハウジング外装を取り付けるための取付要素の位置設定および／または位置決めをするために、位置設定装置は磁石ユニットの高周波アンテナユニットのジオメトリに適合化され、高周波アンテナユニット、特にそれのジオメトリは、磁石ユニットの主磁石の磁気中心を基準にして配置されている。更に、取付位置とは、特に磁石ユニットにおける取付要素の次の位置、即ち取付要素が磁石ユニットの磁気中心に対するハウジング外装の正確な、特に直立姿勢の配置を可能にする位置であると理解すべきである。本発明による実施形態によって、特に少なくとも２つのレーザビームユニットの使用によって、磁気共鳴装置の磁気中心に対する取付要素の、従ってハウジング外装の格別に精密かつ正確なアライメントを達成することができる。さらに、少なくとも２つのレーザユニットを用いた位置設定装置は、従来の組立治具に比べて格別にコンパクトかつ省スペースであるので、その位置設定装置は、顧客における現場でも、例えば既設の磁気共鳴装置の改修時にも使用することができる。好ましくはこのために、その位置設定装置は特に磁石ユニットとは別個に構成されている。更に、格別に低コストの位置設定装置が得られる。というのは、レーザクラス１のレーザ素子を有する少なくとも２つのレーザビームユニットを構成することができ、それにより高い安全基準を提供することができるからである。
【０００８】
更に、設定ユニットが揺動アームユニットを有し、その揺動アームユニットに少なくとも２つのレーザビームユニットのうちの少なくとも１つを配置することが提案される。この場合に、揺動アームユニットが基板ユニットに対して回転軸線を中心に回転可能に支持され、その回転軸線が基板ユニットの主広がり面に対してほぼ垂直に向けられている。このようにして取付要素の位置を位置設定装置により格別に簡単にマーキングし、それにより設定および／または調整することができる。
【０００９】
本発明の他の実施形態では、揺動アームユニットが少なくとも１つの係止要素を有し、基板ユニットが、揺動アームユニットの少なくとも１つの係止要素に対応する少なくとも１つの係止要素を有することが提案される。これによって、基板ユニットに対して揺動アームユニットの係止位置において揺動アームユニットのずれのない確実な位置決めを達成することができるので、取付要素の取付位置の調整を格別に時間節約して行うことができる。
【００１０】
少なくとも２つのレーザビームユニットが取付要素の少なくとも１つの取付位置をマーキングするよう揺動アームユニットが基板ユニットとの係止位置においてアライメントされているように、少なくとも１つの係止要素が基板ユニットに配置されていると格別に有利である。取付位置をマーキングするために基板ユニットに対して設定ユニットを簡単に位置決めすることができる。このために、基板ユニットが、基板ユニットに対する設定ユニットの種々の係止位置用の複数の係止要素を有すると格別に好ましく、揺動アームユニット、特にレーザビームユニットは、各係止位置において、それぞれ１つの取付要素の１つの取付位置をマーキングすることができる。更に、ハウジング外装の正面外装および背面外装に関しても係止要素の種々の位置を基板ユニットに配置することができるので、位置設定装置の多面的な使用を達成することができる。
【００１１】
更に、第１のレーザビームユニットの第１のレーザビームが位置設定装置の動作時に第２のレーザビームユニットの第２のレーザビームと共に１つの共通な交点を有するように、少なくとも２つのレーザビームユニットが設定ユニットに配置され、その共通な交点によって取付要素の取付位置がマーキングされるならば、取付位置の構造上簡単なマーキングが達成できる。
【００１２】
本発明の有利な実施形態では、少なくとも２つのレーザビームユニットが、揺動アームユニットの長手方向に沿って、揺動アームユニットの異なる端部領域に配置されていることが提案される。この場合に、好ましくは、揺動アームユニットの回転軸線が揺動アームユニットの長手方向に沿って揺動アームユニットの中心に配置されているように揺動アームユニットが構成されている。この場合に、取付要素の種々の取付位置を、揺動アームユニットの簡単な回転によって両レーザビームユニットによりマーキングすることができる。両レーザビームユニットのレーザビームのビーム方向は、高周波アンテナユニットの中心に対する取付位置の間隔に合わせられていることが好ましい。レーザビームユニットのレーザビームが、前記交点と一緒に、基板ユニットの主広がり面に対して平行に向けられた１つの面を形成し、それによって基板ユニットに対する相対的な取付点の正確な配置を達成することができる。この場合に、基板ユニットの主広がり面は高周波アンテナユニットの開口面および／または横断面に平行に向けられている。
【００１３】
これの代替として、少なくとも２つのレーザビームユニットが揺動アームユニットの同じ端部領域に配置されていてもよい。この場合に、揺動アームユニットの回転軸線が揺動アームユニットの長手方向に沿ってレーザビームユニットとは反対側の揺動アームユニットの端部に配置されているように、揺動アームユニットを構成することが好ましい。この場合に、揺動アームユニットの端部領域が、揺動アームユニットの長手方向に対して垂直に配置されたウエブ状突設部材を有し、そのウエブ状突設部材に少なくとも２つのレーザビームユニットのうちの少なくとも一方が配置されていると格別に有利である。これによって、前記交点が揺動アームユニットの２つの側から囲まれるので、両レーザビームユニットと前記交点との間に短い設定経路が存在する。レーザビームユニットおよび前記交点は、基板ユニットの主広がり面に対してほぼ直交する面を形成する。
【００１４】
揺動アームユニットが基板ユニットに取り外し可能に配置されているならば、格別にフレキシブルな位置設定装置を達成することができる。特に、揺動アームユニットが、例えば磁石ユニットに位置設定装置を取り付けるために、基板ユニットから取り外し可能であるとよい。
【００１５】
本発明の他の実施形態では、設定ユニットが取付要素に配置されている少なくとも１つの設定要素を有し、設定要素がレーザビームユニットの両レーザビームのうちの少なくとも一方を案内する少なくとも１つの光学的な光通路を有することが提案される。かくして、少なくとも１つの空間方向に沿った取付位置の格別に簡単な設定および／または調整を達成することができる。このために、光学的な光通路と少なくとも１つのレーザビームとが一致するまで、少なくとも１つの方向に沿って取付要素の位置が変えられるとよい。
【００１６】
更に、設定ユニットが取付位置の設定および／または調整のために取付要素に配置された少なくとも１つの設定要素を有し、その設定要素がピン状に形成されていることが提案される。これによって、磁石ユニットに対して取付位置を調整および／または設定するために取付要素に設定要素を格別に簡単に配置することができる。
【００１７】
更に、設定要素が少なくとも１つの第１の調整要素を有し、第１の調整要素が、調整された状態において、少なくとも１つのレーザビームユニットの少なくとも１つのレーザビームの放射経路内に、および／または少なくとも２つのレーザビームユニットのレーザビームの交点に配置されているならば、取付位置の格別に簡単かつ迅速な調整および／または設定を達成することができる。調整された状態とは、特に、ここでは取付要素が磁石ユニットもしくは磁場に対して調整された位置および／または正しい位置に配置されていることであると理解すべきである。
【００１８】
第１の調整要素が、その調整要素を包囲する設定要素の領域の形状および／または色とは異なる形状および／または色を有すると格別に有利である。例えば調整要素とその調整要素を包囲する領域との間のコントラストが最大化されることによって、使用者、特に組立工は、設定および／または調整された取付位置を格別に簡単に認識することができる。調整要素は例えば長孔を含み、その長孔のレーザビームユニット側には調整用十字を印刷されたフィルムおよび／または紙が配置されているので、設定要素の両側から格別に簡単に取付位置の正確なマーキングを使用者が認識できる。
【００１９】
少なくとも１つの設定要素が少なくとも１つの差込部を有し、その差込部が取付要素の取付位置を調整するために磁石ユニットの取付要素に配置されているならば、磁石ユニットにおける取付要素の取付位置の直接的な設定を達成することができる。更に、取付要素に設定要素を確実に配置するために、差込部が取付要素に設定要素の位置を固定するための部材を有するとよい。
【００２０】
更に、レーザビームユニットのレーザビームによって形成された面に対して設定要素を水平方向および／または垂直方向に調整するために、設定要素が少なくとも１つの他の調整要素を有することが提案される。このようにして設定要素を、有利に、取付要素における取付位置の調整および／または設定にとって正しい初期位置にもたらすことができるので、ハウジング外装を取り付けるために取付要素の取付位置を調整および／または設定する間に測定誤差を回避することができる。更に、これによって、磁石ユニットの製造時、特に磁石ユニットに取付要素を位置決めおよび／または配置する際の製作公差を有利に補償することができる。他の調整要素は、例えば水準器、特に液体および気泡を充填された透明なプラスチック管又はガラス管によって形成することができる。
【００２１】
他のレーザビームユニットのレーザビームによって形成された面に対する設定要素の調整および／またはアライメントのために、設定要素が少なくとも１つの継手ユニットを有すると格別に有利である。この場合に特に設定要素を、取付要素に配置された状態において、非常に簡単に取付位置の調整および／または設定にとって理想的なおよび／または正しい初期位置にもたらすことができる。
【００２２】
本発明の有利な実施形態では、基板ユニットが、磁石ユニットの位置決めレーザユニットの位置および／またはビーム方向を調整および／または設定するために、少なくとも１つの調整要素を有することが提案される。それによって多機能の位置設定装置を提供することができる。更に、これによって、位置決めレーザユニットのレーザビームの向きが有利に磁石ユニットの磁気中心に適合化および／または設定することができる。磁石ユニットの位置決めレーザユニットは、磁気共鳴検査中に患者の位置の正確な位置決めおよび／または正確な位置検出をするように設計されている。
【００２３】
更に、調整要素が少なくとも１つの調整面を有し、その調整面が、位置決めレーザユニットの位置および／またはビーム方向を調整および／または設定するために、位置設定装置の取付状態において、基板ユニットの主広がり面に対して垂直におよび／または調整要素に作用する重力に対して垂直に向けられていることが提案される。このようにして位置決めレーザユニットの位置決めレーザビームの望ましくない勾配角度に起因した測定精度が有利に防止できる。
【００２４】
他の実施形態では、位置設定装置が磁石ユニット、特に高周波アンテナユニットに対して患者寝台装置の位置を調整および／または設定するように設計されている他のレーザビームユニットを有することが提案される。他のレーザビームユニットにより、高周波アンテナユニットに対して正確に患者寝台装置を位置決めするために位置決め型がアライメントおよび／または位置決めされるとよい。他のレーザビームユニットは、動作時に線形レーザビーム、特に十字形レーザビームを出射することが好ましい。
【００２５】
他のレーザビームユニットが揺動可能に基板ユニットに配置されていると格別に有利であり、それによって他のレーザビームユニットの非動作時には他のレーザビームユニットを省スペース配置とすることができる。更に、これによって他のレーザビームユニットを外部の負荷および／または作用から保護した配置とすることができる。
【００２６】
本発明の有利な実施形態では、取付ユニットが、基板ユニットに配置された少なくとも１つの枠ユニットを有することが提案される。それによって取付位置の設定および／または調整のために格別に安定な位置設定装置を得ることができる。この場合に枠ユニットによって限定および／または包囲される領域が基板ユニットの面の少なくとも５０％覆われると格別に有利である。
【００２７】
更に、枠ユニットが多角形の形状を有し、その枠ユニットの少なくとも２つの角部領域に、磁石ユニットに位置設定装置を取り付けるためのそれぞれ少なくとも１つの取付手段が配置されていることが提案される。磁石ユニット、特に高周波アンテナユニットへの位置設定装置の有利かつ確実な取付を達成することができる。取付ユニットが、多角形の形状の各角部領域に、磁石ユニットに位置設定装置を取り付けるべく、少なくとも１つの取付手段を有すると格別に有利である。位置設定装置が磁石ユニットの少なくとも３つの角部領域に配置されるか、もしくは位置設定装置が磁石ユニットとの３つの取付部を有することが好ましい。
【００２８】
取付ユニットの取付手段のうちの少なくとも２つがそれぞれ１つの締付部材を有し、両締付部材が枠ユニットの両側部に配置されているならば、磁石ユニット、特に高周波アンテナユニットへの位置設定装置の格別に確実かつ安定な取付を達成することができる。
【００２９】
取付ユニットが、締付け部への締付け動作を伝達するために、少なくとも１つのスライドガイド（リンクガイド）を有するならば、磁石ユニット、特に高周波アンテナユニットに位置設定装置を取り付けるための格別に簡単に操作できる取付ユニットを提供することができる。スライドガイド（リンクガイド）は、枠ユニットと一緒に、設定ユニットとは反対側の基板ユニットの面に配置されていると好ましく、取付要素の取付位置の調整過程の障害および／または妨害が取付ユニットの配置および／または伸張によって防止されている。
【００３０】
更に、少なくとも２つの締付部材が、スライドガイドにより、両締付部材間の間隔に沿った締付け動作をすることが提案される。それによって磁石ユニットへの位置設定装置の格別に簡単かつ確実な取付を提供することができる。スライドガイドは、操作者によりスライドガイドを操作するための操作ユニットを有するとよく、操作ユニットの動きは、それに対して直交する向きのスライドガイド、特に締付部材の動きをひき起こす。この場合に、スライドガイド（リンクガイド）の閉じた状態で取付ユニットの両締付部材間の間隔が最小値を取り、スライドガイド（リンクガイド）の開いた状態で最大値を取る。更に、両締付部材が鉤状に形成されているならば、磁石ユニットへの位置設定装置の取付過程中に、締付部材により磁石ユニットの部分領域を格別に簡単に挟持することができる。
【００３１】
本発明の他の実施形態では、取付ユニットが、位置設定装置を磁石ユニットにねじ結合するように設計されている少なくとも２つの安全部材を有することが提案される。それによって、磁石ユニット、特に高周波アンテナユニットに位置設定装置を固定することができる。このようにして更に、取付位置の調整および／または設定の過程中における位置設定装置の望ましくない位置変化を防止できることによって、磁石ユニットにハウジング外装を取り付けるための取付要素の格別に正確かつ精密な調整および／または設定を有利に達成することができる。更に、これによって磁石ユニット、特に磁石ユニットの高周波アンテナユニットへの位置設定装置の正確な配置および／またはセンタリングを達成することができる。
【００３２】
更に、取付ユニットが、締付部材の締付け面に対して垂直に配置されているそれぞれ１つの支持面を有する少なくとも２つの支持部材を有することが提案される。それによって高周波アンテナユニットへの位置設定装置の取付中に磁石ユニット、特に高周波アンテナユニットへの位置設定装置の確実な位置決めを達成することができる。さらに、位置設定装置に作用する重力の少なくとも一部を支持部材により磁石ユニットへ導くことができ、かくして使用者にとって位置設定装置の簡単な取り扱いおよび／または操作性を達成することができる。この場合に支持部材が枠ユニットから突出するように延設されていると格別に有利である。それによって、高周波アンテナユニットに位置設定装置を取り付けるために高周波アンテナユニットにおいて正確に規定された有利な取付位置において、位置設定装置を支持することができる。この関連において、締付け面に対する支持面の垂直配置とは、特に、好ましくは±２０°の公差範囲、有利には±１２°の公差範囲、格別に好ましくは±６°の公差範囲を有する垂直配置であると理解すべきである。
【００３３】
安全部材の少なくとも１つおよび／または支持部材の少なくとも１つが、枠ユニットのそれぞれ１つの角部領域に配置され、その角部領域に締付部材の１つが配置されているならば、格別にコンパクトな位置設定装置を提供することができる。
【００３４】
本発明の有利な実施形態では、取付ユニットが少なくとも１つの他の取付手段を有し、その取付手段が枠ユニットの少なくとも１つの第３の角部領域に配置されていることが提案される。それによって、磁石ユニットにハウジング外装を取り付けるための取付要素の取付位置を調整および／または設定するために、位置設定装置を磁石ユニット、特に高周波アンテナユニットに格別に安定に配置することができる。更に、これによって位置設定ユニットに作用する望ましくない曲げモーメントに起因した測定精度を防止することができる。
【００３５】
更に、本発明は、主磁石と傾斜磁場コイルユニットと高周波アンテナユニットと少なくとも１つの取付要素とを含む磁石ユニットと、その磁石ユニットを包囲するハウジング外装と、磁石ユニットにハウジング外装を取り付けるための取付要素の取付位置を設定および／または調整する請求項１乃至３１の１つに記載の位置設定装置とを備えている磁気共鳴装置から出発する。磁気共鳴装置の磁気中心に対するハウジング外装の格別に精密かつ正確な配置を達成することができる。更に、位置設定装置は、少なくとも２つのレーザビームユニットにより、従来の組立治具に比べて格別にコンパクトかつ省スペースに構成することができるので、顧客における現場でも、例えば既設の磁気共鳴装置の改修時にも使用することができる。
【００３６】
更に、少なくとも１つの取付要素が、少なくとも１つの方向に沿って取付要素の取付位置を設定する少なくとも１つの設定要素を有することが提案される。これによって、磁石ユニットへの取付要素野取付位置のフレキシブルかつ迅速な設定および／または調整が達成される。取付要素が、少なくとも２つの方向、好ましくは３つの方向に沿って取付要素の位置を設定する複数の設定要素を有するとよい。
【００３７】
以下において図面を参照して説明する実施例から本発明の他の利点、特徴および詳細を明らかにする。
【図面の簡単な説明】
【００３８】
【図１】図１はハウジング外装および磁石ユニットを有する磁気共鳴装置を示す概略図である。
【図２】図２は磁石ユニットの取付要素の詳細図である。
【図３】図３は本発明による位置設定装置の概略図である。
【図４】図４は位置設定装置の設定要素の実施例を示す詳細図である。
【図５】図５は位置設定装置の他のレーザビームユニットの詳細図である。
【図６】図６は取付ユニットを有する位置設定装置の概略背面図である。
【図７】図７は取付ユニットの角部領域の詳細図である。
【図８】図８は設定要素の第２の実施例を示す詳細図である。
【図９】図９は位置設定装置の他の代替の設定要素を有する代替の揺動アームユニットの詳細図である。
【発明を実施するための形態】
【００３９】
図１には磁気共鳴装置１０が概略的に示されている。磁気共鳴装置１０は、強い特に一定の主磁場を発生する主磁石１２を有する磁石ユニット１１を含む。更に、磁気共鳴装置１０は患者１６を撮影するための円筒状の撮影領域１４を有し、その撮影領域１４は、周囲方向において、磁気共鳴装置１０の磁石ユニット１１を包囲するハウジング外装１５によって取り囲まれている。患者１６は、磁気共鳴装置１０の患者寝台装置１７により撮影領域１４へ送り込むことができる。患者寝台装置１７は、このために磁気共鳴装置１０内に移動可能に配置されている。
【００４０】
磁石ユニット１１のハウジング外装１５、特に磁石ユニット１１の正面側および／または背面側のためのハウジング外装１５を取り付けるために、磁石ユニット１１は取付要素１８を有し、これらの取付要素１８は磁石ユニット１１の縁部領域、特に主磁石１２のハウジングユニットの縁部領域に配置されている。ハウジング外装１５の位置決めは、磁石ユニット１１の磁気中心を基準として行われる。磁石ユニット１１におけるハウジング外装１５の正確な取付位置を調整および／または設定するために、個々の取付要素１８は、磁石ユニットにおける少なくとも２つの空間方向に沿った各取付要素の位置を設定すべく、それぞれ設定要素１９を有する（図２参照）。
【００４１】
磁石ユニット１１は、更に、傾斜磁場を発生する傾斜磁場コイルユニット２０を有し、この傾斜磁場コイルユニット２０は撮像中に空間エンコーディングのために使用される。傾斜磁場コイルユニット２０は傾斜磁場制御ユニット２１により制御される。磁石ユニット１１は、更に、主磁石１２によって発生された主磁場１３内で生じる分極を励起するために、高周波アンテナユニット２２および高周波アンテナ制御ユニット２３を含む。高周波アンテナユニット２２は、高周波アンテナ制御ユニット２３によって制御されて、主として撮影領域１４によって形成されている検査空間内に、高周波の磁気共鳴シーケンスを送信する。
【００４２】
磁気共鳴装置１０は、傾斜磁場制御ユニット２１の主磁石１２を制御するためと、高周波アンテナ制御ユニット２３を制御するために、計算ユニットによって構成された制御ユニット２４を有する。制御ユニット２４は、中央で、例えば画像化を行う予め定められたグラディエントエコーシーケンスを実行するように磁気共鳴装置１０を制御する。更に、制御ユニット２４は、画像データを解析する解析ユニットを有する。例えば画像化パラメータのような制御情報ならびに再構成された磁気共鳴画像を表示ユニット２５に、例えば磁気共鳴装置１０の少なくとも１つのモニタに操作者のために表示することができる。更に、磁気共鳴装置１０は入力装置２６を有し、この入力装置２６により操作者は測定過程中に情報および／またはパラメータを入力することができる。
【００４３】
図示された磁気共鳴装置１０は、もちろん、磁気共鳴装置が通常有する他の構成要素を含み得る。磁気共鳴装置１０の一般的な動作態様は当業者に知られているので、一般的な構成要素の詳しい説明は省略する。
【００４４】
取付要素１８の取付位置を設定および／または調整するために、磁気共鳴装置１０は位置設定装置１００を有する。図３には、ハウジング外装１５を取り付けるための取付要素１８の取付位置を磁石ユニット１１の磁気中心に対して設定および／または調整する位置設定装置１００が示されている。位置設定装置１００は、基板ユニット１０１と取付ユニット１０２と設定ユニット１０３とを含む。
【００４５】
設定ユニット１０３は、磁石ユニット１１にハウジング外装１５を取り付けるための取付要素１８の取付位置をマーキングする２つのレーザビームユニット１０４，１０５を有する。更に、設定ユニット１０３は揺動アームユニット１０６を有し、この揺動アームユニット１０６には両レーザビームユニット１０４，１０５が配置されており、両レーザビームユニット１０４，１０５は揺動アームユニット１０６の長手方向１０７に沿って揺動アームユニット１０６の異なる対向する端部領域１０８に配置されている。このために、揺動アームユニット１０６には、その揺動アームユニット１０６の端部領域１０８にそれぞれ、基板ユニット１０１とは反対側の揺動アームユニット１０６の面に突出したウエブ状突設部材１１３が配置されている。両レーザビームユニット１０４，１０５は、レーザビームユニット１０４，１０５の動作中に両レーザビーム１１４が共通な交点を形成するように、揺動アームユニット１０６もしくはその揺動アームユニット１０６のウエブ状突設部材１１３に配置されており、その共通な交点は、磁石ユニット１１にハウジング外装１５を取り付けるための取付要素１８の取付位置をマーキングする。それらのレーザビームユニットによる取付位置のマーキングは、先ず基板ユニット１０１の主広がり面１１０に平行に向けられている磁石ユニットのｘ／ｙ平面内で行われる。ｘ／ｙ平面に対して直角に向けられたｚ方向に沿った取付位置のマーキングは、図４および図８に対する説明に示すように、設定要素により行われる。この場合に、両レーザビームユニット１０４，１０５の両レーザビーム１１４は、基板ユニット１０１の主広がり面１１０にほぼ平行に向けられた１つの面を形成する。両レーザビーム１１４により形成された面は、取付位置のマーキング時の不正確さを回避するために、基板ユニット１０１の主広がり面１１０に平行に向けられている（図３参照）。
【００４６】
揺動アームユニット１０６は、回転軸線１０９を中心に回転可能に基板ユニット１０１に支持されており、その回転軸線１０９は基板ユニット１０１の主広がり面１１０に対して垂直に向いている。基板ユニット１０１に揺動アームユニット１０６を回転可能に支持するために、設定ユニット１０３は、揺動アームユニット１０６の長手方向１０７に沿って中心に配置された詳しくは図示されていない回転軸受部材を有する。揺動アームユニット１０６は、揺動アームユニット１０６が直接に基板ユニット１０１に接するように、もしくは基板ユニット１０１に対して最大３ｍｍの間隔で支持されているように、基板ユニット１０１に支持されている。
【００４７】
基板ユニット１０１は半円形状の部分領域と矩形状の部分領域とを有し、基板ユニット１０１は両部分領域により一体形成されている。半円形状の部分領域は１つの中心を有し、この中心の周りにその部分領域が半径ｒにて半円形状に広がる。この中心に、揺動アームユニット１０６を支持する回転軸受部材が配置されている。
【００４８】
異なるマーキング位置に揺動アームユニット１０６を確実に配置するために、揺動アームユニット１０６は、この実施例では詳しくは図示されていないばね押しボールを含む２つの係止要素１１１を有する。係止要素１１１は揺動アームユニット１０６のそれぞれ１つの凹部内に支持されている。ばね押しボールは揺動アームユニット１０６の基板ユニット１０１側の領域に配置され、ばね押しボールは揺動アームユニット１０６を越えて突出している。更に、基板ユニット１０１も揺動アームユニット１０６の係止要素１１１に対応する係止要素１１２を有する。基板１０１の係止要素１１２は、基板ユニット１０１の中心の周りの仮想半円線上に配置された切欠きによって形成されている。個々の係止要素１１２は、基板ユニット１０１と揺動アームユニット１０６との係止位置においてレーザビームユニット１０４，１０５の動作中にレーザビームが取付要素１８のための取付位置をマーキングするように基板ユニット１０１に配置されている。更に、種々の係止要素１１２が該当取付要素１８のために設定すべきマーキング位置で書き込まれている。さらに、磁石ユニットの位置設定装置１００を最大限に安定化するために、係止要素１１２が基板ユニット１０１の縁部領域内に配置されている。
【００４９】
これに対する代替として、揺動アームユニット１０６は基板ユニット１０１と一緒に、取付要素１８の取付位置の設定および／または調整を係止要素なしにも行うことができるように構成されていてもよい。この場合に、基板ユニット１０１に揺動アームユニット１０６を回転可能に支持する回転軸受部材は、偏心している回転軸受部材を含み得る。
【００５０】
さらに、個々のレーザビームユニット１０４，１０５が、揺動アームユニット１０６に対して、揺動アームユニット１０６の長手方向に沿って移動可能に支持されていることも考えられ得る。更に、スライドガイドにより基板ユニット１０１に対して揺動アームユニット１０６を支持することも考えることができ、そのスライドガイドにより、取付要素１８の取付位置を設定および／または調整するために基板ユニット１０１に対する揺動アームユニット１０６の個々の設定位置を設定することができる。
【００５１】
更に、位置設定装置１００は、磁石ユニットに取付要素１８の取付位置を設定および／または調整するために配置されている設定要素１１５を含む（図３および図４参照）。設定要素１１５は、この実施例ではピン状に構成され、差込部１１６を有し、この差込部１１６は設定要素１１５の長手方向に沿って設定要素１１５の第１の端部に配置されている。取付要素１８への設定要素１１５の配置は、差込部１１６により、取付要素１８の収容部２７内で行われる。
【００５２】
設定要素１１５は、差込部１１６とは反対側の端部領域に第１の調整要素１１７を有する。この調整要素１１７は、取付要素１８の正しい取付位置に設定要素１１５を配置した際にレーザビームユニット１０４，１０５の両レーザビーム１１４を当てるべき照射位置をマーキングする。この実施例においては、第１の調整要素１１７が、設定要素１１５内に刻印および／または切削加工された調整用十字によって形成されている。第１の調整要素１１７の代替実施形態はいつでも可能である。設定要素１１５における調整要素１１７を取り囲む領域は、調整要素１１７とその調整要素を取り囲む領域との間における最大コントラストのために、暗い、特に黒いコーティングを含む。
【００５３】
取付要素１８にもしくはその取付要素１８の収容部の内部に設定要素１１５を正しく配置するために、設定要素１１５は、図４に示されているように他の調整要素１１８を有する。他の調整要素１１８は、両レーザビームユニット１０４，１０５の両レーザビーム１１４によって形成された面に対しておよび／または基板ユニット１０１の主広がり面１１０に対して設定要素１１５を正しく向けることを可能にする。このために、図４において調整要素１１５は、それぞれ水準器によって構成されている２つの他の調整要素１１８を有する。更に、両第２の調整要素１１８、特に両水準器は互いに垂直に向けられている。更に、設定要素１１５は、取付要素１８への配置を正しく設定および／または調整するために、設定要素１１５を長手方向に沿って２つの部分領域に分割する継手ユニット１１９を有する。第１の部分領域は差込部１１６を含み取付装置１８に配置されている。第２の部分領域は第１の調整要素１１７を含み、かつ第２の調整要素１１８も含む。継手ユニット１１９により、設定要素１１５の第１の部分領域と第２の部分領域との間に、第２の部分領域、特に第２の部分領域のレーザビームユニット１０４，１０５側の面が、両レーザビームユニット１０４，１０５の両レーザビーム１１４によって形成された面に対しておよび／または基板ユニット１０１の主広がり面１１０に対して垂直な正しい配置を取るまで勾配を設定することができる。継手ユニット１１９は、この実施例では、回転継手である。さらに、その回転継手は、回転中の摩擦力が第２の部分領域に作用する重力よりも大きくなるように設定されており、従って継手ユニット１１９が回転軸線を中心に自動的に回転するのが防止されている。
【００５４】
更に、継手ユニット１１９がなく他の調整要素もない設定要素１１５を提供することも考えられ得る。
【００５５】
更に、図３の位置設定装置１００は、磁石ユニット１１（図１参照）の位置決めレーザユニット２８の位置および／またはビーム方向を調整および／または設定する調整要素１２１を有する。位置決めレーザユニット２８は、磁気共鳴検査中に患者寝台装置１７上の患者１６の正確な位置を検出するために設けられている。位置決めレーザユニット２８は、磁気共鳴装置１０の撮影領域１４側のハウジング外装１５内に組み込まれている。
【００５６】
調整要素１２１は揺動アームユニット１０６の真ん中の領域に配置されている。調整要素１２１は、この実施例では揺動アームユニット１０６にねじ止めされたウエブ状の領域を有する。基本的には、調整要素１２１と揺動アームユニット１０６との間において有効と思える他の取付様式が、当業者にとって考えられ得る。代替として、調整要素１２１は揺動アームユニット１０６と一体構成することもできる。
【００５７】
更に、調整要素１２１は、調整面１２２を有する板状の部分領域を有し、調整面１２２は基板ユニット１０１の主広がり面１１０に対して垂直に向けられている。位置設定装置１００の調整位置において、調整面１２２は、両レーザビームユニット１０４，１０５の両レーザビーム１１４によって形成された面および／または基板ユニット１０１の主広がり面１１０に対して垂直に配置されている。調整面１２２は、この実施例では、それぞれ１つの調整用十字によって形成されている２つの調整用マーキング１２３を有し、両調整用十字のうちの第１の調整用十字は、磁石ユニット１１の後部側に配置された位置決めレーザユニットの位置および／またはレーザビーム方向の向きを設定するために設けられ、両調整用十字のうちの第２の調整用十字は、磁石ユニット１１の正面側に配置された位置決めレーザユニット２８の位置および／またはレーザビーム方向の向きを設定するために設けられている。両調整用十字は、調整面１２２に刻印、切削加工、印刷および／または当業者に有効と思われる他の方法によって形成することができる。位置決めレーザユニット２８の位置の調整および／またはアライメントおよび／またはレーザビーム方向のアライメントのためには、揺動アームユニット１０６が水平位置に配置されていることが必要である。揺動アームユニット１０６の水平位置においては、揺動アームユニット１０６の長手方向が基板ユニット１０１の主広がり面１１０に対して垂直に向けられ、両レーザビームユニット１０４，１０５の両レーザビーム１１４によって形成された面に対しても垂直に向けられている。
【００５８】
これに対する代替として、調整要素１２１は基板ユニット１０１に配置されていてもよい。この場合に揺動アームユニット１０６の回転運動を妨げないようにするために、調整要素１２１は、基板ユニット１０１に取外し可能に配置するとよい。更に、このために、調整要素１２１による位置決めレーザユニットの設定および／または調整の障害および／または妨害を回避すべく、揺動アームユニット１０６も基板ユニット１０２に取外し可能に配置するとよい。
【００５９】
更に、位置設定装置１００は、磁石ユニット１１に対する患者寝台装置１７の位置を調整および／または設定するように設計されている他のレーザビームユニット１２４を有する（図３および図５参照）。他のレーザビームユニット１２４は基板ユニット１０１の矩形状の部分領域に配置されている。このために、位置設定装置１００は他のＬ字形の保持部材１２５を有し、この保持部材１２５は基板ユニット１０１の矩形状の部分領域に配置されている。このＬ字形の保持部材１２５には、他のレーザビームユニット１２４が回転可能および／または揺動可能に配置されている。他のレーザビームユニット１２４は、このために２つの好ましい位置の間で、即ち動作位置（図５参照）と待機位置（図３参照）との間で回転可能又は揺動可能に支持されており、このために位置設定装置１００は詳しくは図示されていない他の回転軸受ユニットを有する。更に、このために位置設定装置１００は、他のレーザビームユニット１２４を、それらの好ましい位置に確保する他の係止装置を有し、他の係止装置は係止装置１１１と同様に構成されていてよい。
【００６０】
位置設定装置１００が磁石ユニット１１に取り付けられた状態において、他のレーザビームユニット１２４は、動作位置において、他のレーザビームユニット１２４のレーザビーム１２６が動作状態で基板ユニット１０１の主広がり面１１０に対して平行に向けられるように、基板ユニット１０１に、特にＬ字形の保持部材１２５に配置されている（図５参照）。他のレーザビームユニット１２４は、動作状態において、患者寝台装置１７の位置を設定および／または調整するために設けられており、患者寝台装置の位置決めは型どおりの位置決め方式により行うことができる。この場合に、他のレーザビームユニット１２４のレーザビーム１２６は、通常の位置決め方式の簡単かつ正確な位置決めのための線形レーザビーム、特に十字形レーザビームを含む。
【００６１】
待機位置において、他のレーザビームユニット１２４は、他のレーザビームユニット１２４のレーザビーム１２６が基板１０１の主広がり面に対してほぼ垂直に向けられるようにＬ字形の保持部材１２５に配置されている（図３参照）。他のレーザビームユニット１２４の待機位置は、患者寝台装置１７の位置の設定および／または調整が可能でない他のレーザビームユニットの動作停止位置によって作り出される。
【００６２】
位置設定装置１００の個々のレーザビーム１０４，１０５，１２４は、それぞれ詳しくは図示されていないエネルギー蓄積手段、例えばバッテリーを含み、このバッテリーはレーザビームユニット１０４，１０５，１２４の内部に組み込まれているか、もしくはレーザビームユニット１０４，１０５，１２４の収容部の内部に配置されている。代替として通電ケーブル接続によるレーザビームユニット１０４，１０５，１２４のエネルギー供給も可能である。
【００６３】
位置設定装置１００の取付ユニット１０２は枠ユニット１２７を有する（図３、図６および図７参照）。枠ユニット１２７は、この実施例では、互いに平行に配置されている２つの縦材１２８を含む。更に、枠ユニット１２７は同様に互いに平行に配置されている２つの横材１２９を有する。両横材１２９は縦材１２８に対してほぼ垂直に配置されており、２つの縦材１２８と一緒に、多角形の面を有する多角形の、特に長方形の面を有する長方形の枠ユニット１２７を構成し、その枠ユニット１２７の面は基板ユニット１０１の主広がり面１１０の少なくとも５０％を覆う。縦材１２８の各端部領域において縦材１２８は横材１２９の各端部領域に結合されている。縦材１２８の少なくとも１つが、この実施例では、アルミニウム成形枠体として形成されており、この縦材１２８は半円形状の部分領域とは反対側の矩形状の部分領域の縁部に配置されている。これに対する代替として、縦材１２８がアルミニウム成形枠体とは異なる実施形態を有してもよい。枠ユニット１２７は、設定ユニット１０２とは反対側の基板ユニット１０１の面において、基板ユニット１０１に配置されている。
【００６４】
アルミニウム成形枠体として形成された縦材１２８が横材１２９に結合されている枠ユニット１２７の２つの角部領域１３５に、枠ユニット１２７は、磁石ユニット１１に位置設定装置１００を取り付けるための取付手段１３２と、安全部材１３３と、支持部材１３４とを有する（図６および図７参照）。角部領域１３５に配置された取付手段１３２は締付部材１３６によって形成されている。安全部材１３３は、少なくともねじ部材を収容する凹部を含み、従って位置設定装置１００を磁石ユニット１１に配置された状態で磁石ユニット１１にねじ止めすることができる。更に、安全部材１３３は、磁石ユニット１１、特に高周波アンテナユニット２２への位置設定装置１００の挿入移動をストップさせるストッパ面を含むので、位置設定装置１００は、取付要素１８の取付位置を設定および／または調整するために、磁石ユニット１１、特に高周波アンテナユニット２２対して正しい間隔で配置される。安全部材１３３のストッパ面は、ねじ部材を収容する少なくとも１つの凹部をそれぞれ有する。安全部材１３３つまり安全部材１３３のストッパ面は、横材１２９の長手方向に沿って横材１２９を越えて突出しており、安全部材１３３のストッパ面は基板ユニット１０１の主広がり面１１０に対して平行に向けられている。
【００６５】
この実施例では、位置設定装置１００の取付ユニット１０２が、磁石ユニット１１、特に磁石ユニット１１の高周波アンテナユニット２２での位置設定装置１００の安全および／または固定のために、安全部材１３３も締付部材１３６も含む。かくして磁石ユニットでの位置設定装置１００の冗長性のある取付および／または安全が達成される。しかし、これに対する代替として、磁石ユニットでの位置設定装置１００の安全および／または取付のために、締付部材１３６のみ、又は安全部材１３３のみを有する位置設定装置１００の実施形態も考えられ得る。
【００６６】
従って、締付部材１３６は枠ユニット１２７の対向する両側部に配置されて鉤状に形成されており、鉤状の締付部材１３６の収容部はそれぞれ、少なくとも部分的に他の締付部材１３６に向かっている開口を有する。締付部材１３６は、縦材１２８の長手方向に沿ってその縦材１２８を越えて突出している。更に、締付部材１３６は横材１２９の長手方向に沿っても横材１２９を越えて突出している。更に、両締付部材１３６は、両締付部材１３６の間の間隔に沿って移動可能に枠ユニット１２７に支持されている。
【００６７】
磁石ユニット１１への位置設定装置１００の取付過程中に両締付部材１３６を同時に鏡面対称移動させるために、取付ユニット１０３はスライドガイド（リンクガイド）１３８を有する。スライドガイド１３８は、基板ユニット１０１とは反対側の枠ユニット１２７の面、特にアルミニウム成形枠体として形成された縦材１２８の面に配置されている。スライドガイド（リンクガイド）１３８は２つのガイド部材を有し、これらのガイド部材は、両締付部材１３６間の間隔の方向に沿って移動可能に支持されており、それぞれ相手方のガイド部材１３９とは反対側の端部領域に締付部材１３６が配置されている。ガイド部材１３９は、このために各々２つの長孔１４０を有し、これらの長孔内で、それぞれアルミニウム成形枠体に配置されたねじ状の支持部材１４１が支持されている。ガイド部材１３９は、それぞれガイド部材１３９における締付部材１３６とは反対側の端部領域に配置されている別の長孔１４２を有する。これらの別の長孔１４２は、ガイド部材１３９の長手方向に対して７０°と８４°との間の角度を持った勾配を有する。好ましくは、これらの別の長孔１４２は、７５°と８０°との間の角度を持った勾配を有する。
【００６８】
更に、取付ユニット１０２は、２つの他のガイド部材１４４を持った操作要素１４３を有する。操作部材１４３は、アルミニウム成形枠体として形成された縦材１２８の中央部に配置されており、縦材１２８の案内ボルトが支持されている長孔を介して移動可能に支持されている。操作部材１４３の移動は、縦材１２８の長手方向に対して垂直方向に行われる。更に、操作部材１４３は、枠ユニット１２７において設定された操作部材１４３の位置を確保するために、ねじ頭部を支持する他の長孔を有する。更に、スライドガイド１３８の２つの第１ガイド部材１３９側の操作部材１４３の縁部領域に、他の２つのガイド部材１４４が配置されている。両ガイド部材１４４は、縁部からスライドガイド１３８の両ガイド部材１３９に向かって桟橋状に突出している。更に、これらの２つの他のガイド部材１４４は、これらの２つの他のガイド部材１４４がスライドガイド１３８のガイド部材１３９の他の長孔１４２内で支持されるように配置されている。操作部材１４３が縦材１２８の長手方向に対して垂直に移動する際に、２つの他のガイド部材１４４および長孔１４２により、縦材１２８の長手方向に沿った移動が締付部材１３６に伝達される。
【００６９】
両締付部材１３６は、磁石ユニット１１を締め付けた位置で最小の相互間隔を有し、開いた位置で最大の相互間隔を有する。更に、締付部材１３６の締付け面は保護被覆、例えばフェルト被覆を有するので、高周波アンテナユニット２２の損傷が防止されている。支持部材１３４は、それぞれ同様に保護被覆、例えばフェルト被覆を備えている支持面を有する。角部領域（コーナ領域）１３５の支持部材１３４の支持面は角部領域１３５の締付部材１３６の締付け面に対して垂直に向いている（図７参照）。
【００７０】
取付ユニット１０２は２つの他の取付手段１４５を有し、これらの取付手段１４５は枠ユニット１２７の２つの他の角部領域１４６、特に他方の縦材１２８の両端部領域に配置されている（図３参照）。枠ユニット１２７への２つの他の取付手段１４５の取付および／または配置のために、取付ユニット１０２はそれぞれＺ形状を有する２つのウエブ状突設部材１４７を有する。それらのウエブ状突設部材１４７は、それぞれ第１の端部領域で枠ユニット１２７に結合され、枠ユニット１２７とは反対側の端部領域で他の取付手段１４５に結合されている。更に、取付手段１４５は、磁石ユニット１１、特に高周波アンテナユニット２２との締付結合を引き受ける締付部材によって構成されている。それらの締付部材と高周波アンテナユニット２２との間の締付結合を発生させるために磁石ユニット１１に位置設定装置１００を挿入移動する方向に沿って締付部材の手前に、取付ユニット１０２の停止部材１４８が配置され、それにより停止部材１４８が高周波アンテナユニット２２に当接した際に、位置設定装置１００が磁石ユニット１１において取付要素１８の取付位置の調整および／または設定のために正しい位置を取る。
【００７１】
取付要素１８の取付位置を設定および／または調整するために、先ず位置設定装置１００が、高周波アンテナユニット２２に取付ユニット１０２により取り付けられる。引き続いて、設定要素１１５が取付要素１８に配置され、揺動アームユニット１０６が、取付要素１８の取付位置を設定および／または調整するために基板ユニット１０１に対して適切な位置にもたらされる。磁石ユニット１１における取付要素１８の取付位置を設定および／または調整するために、両レーザビームユニット１０４，１０５が作動させられ、それにより両レーザビームユニット１０４，１０５がレーザビーム１１４を発生し、両レーザビーム１１４の交点が取付要素１８のための正しい取付位置をマーキングする。両レーザビーム１１４つまり両レーザビーム１１４の交点により、取付要素１８の取付位置が、先ず、基板ユニット１０１の主広がり面１１０に対して平行に向けられている磁石ユニットのｘ／ｙ平面内にマーキングされる。ｘ／ｙ平面に垂直に向けられているｚ方向に沿った取付位置のマーキングは設定要素１１５により行われる。ｚ方向に沿った取付要素１８の取付位置は、取付要素１８の収容部２７に対する調整要素１１７の間隔、もしくは設定要素１１５の差込部１１６に対する調整要素１１７の間隔を加えられた設定要素１１５でのマーキング位置に相当する。
【００７２】
交点を設定要素１１５の調整要素１１７に一致させるために、取付要素１８が少なくとも２つの空間方向に沿って調整される。このために取付要素１８はねじ部材を案内する長孔を有し、従って、該当する長孔内でのねじ部材の位置の変化が、磁石ユニット１１に対する取付要素１８の位置の変化を生じさせる。
【００７３】
取付ユニット１０２の代替的実施形態において、取付ユニット１０２は、高周波アンテナユニット２２内における患者寝台装置の搬送のための搬送レールおよび／または滑りレールに位置設定装置１００を取り付けるように設計されている。更に、専門家にとって有効と思われる取付手段の他の実施形態がいつでも考えられ得る。
【００７４】
図８には、磁石ユニットに取付要素１８の取付位置を設定および／または調整するための設定要素２１５の代替的な実施例が示されている。図８における設定要素２１５は、他の調整要素２１８の実施形態に関して、図４における設定要素と相違している。
【００７５】
この設定要素２１５は、ピン状に形成され、設定要素２１５の長手方向に沿って設定要素２１５の第１の端部領域に配置された差込部２１６を有する。取付要素１８への設定要素２１５の配置は、差込部２１６により取付要素１８の収容部２７内で行われる。設定要素２１５は、差込部２１６とは反対側の設定要素２１５の端部領域に第１の調整要素２１７を有する。この調整要素２１７は、取付要素１８の正しい取付位置に設定要素２１５を配置した際に、レーザビームユニット１０４，１０５の両レーザビーム１１４が当たらなければならない標的位置をマーキングする。第１の調整要素２１７は、磁石ユニット１１における取付要素１８の取付位置を設定および／または調整するために、正確な標的位置をマーキングするスケール表示部を含む。スケール表示部は、この実施例では、印刷された透明なフィルムおよび／または透明なフィルムの下に配置されている印刷紙によって構成されている。更に、調整要素は詳しくは図示されていない長孔を含み、この長孔が両レーザビーム１１４のビーム方向に沿ってスケール表示部の背後に配置されているので、取付位置のマーキング中に、調整要素２１７のスケール表示部に対する両レーザビーム１１４の交点の位置を、設定要素の両側から使用者が視認することができる。
【００７６】
取付要素１８に、つまり取付要素１８の収容部内に設定要素２１５を正しく配置するために、設定要素２１５は他の調整要素２１８を有する（図８参照）。他の調整要素２１８は、レーザビームユニット１０４，１０５のレーザビーム１１４によって形成された面に対しておよび／または基板ユニット１０１の主広がり面１１０に対して設定要素２１５の正しいアライメントを可能にする。他の調整要素２１８は設定要素２１５の第２の部分領域に配置され、Ｌ字形の調整要素２１８によって形成されている。Ｌ字形の調整要素２１８の端部領域に、調整要素２１８は、この実施例では３本のマーキング線を含むマーキング２２０を有する。
【００７７】
更に、設定要素は、取付要素１８での配置を正しく設定および／または調整するために、設定要素２１５を長手方向に沿って２つの部分領域に分割する継手ユニット２１９を有する。第１の部分領域は差込部２１６を含み、取付要素１８に配置されている。第２の部分領域は第１の調整要素２１７を含み、第２の調整要素２１８も含む。継手ユニット２１９により、設定要素２１５の第１の部分領域と第２の部分領域との間に、第２の部分領域、特に第２の部分領域の、調整要素を含む面が、基板ユニット１０１の主広がり面１１０に対しておよび／または両レーザビームユニット１０４，１０５の両レーザビーム１１４によって形成された面に対して垂直な正しい配置を取るまで、勾配が設定できる。継手ユニット２１９は、この実施例では回転継手である。さらに、回転継手は、回転中の摩擦力が第２の部分領域に作用する重力よりも大きくなるように設定されているので、継手ユニット２１９の回転軸線を中心とする自動的な回転が防止されている。
【００７８】
位置設定装置１００の動作中に両レーザビーム１０４，１０５のレーザビーム１１４が中央のマーキング線の高さおよび／またはレベルにあるならば、設定要素２１５は取付要素１８に取付位置の設定および／または調整にとって正しい位置で配置されている。これに対して、位置設定装置１００の動作中に両レーザビームユニット１０４，１０５のレーザビーム１１４が中央のマーキング線の高さおよび／またはレベルの下又は上にある場合、例えば下方又は上方のマーキング線の高さおよび／またはレベルにある場合には、取付位置の設定および／または調整の前に、設定要素２１５、特に第２の部分領域は、中央のマーキング線の高さおよび／またはレベルにレーザビーム１１４が配置されるまで、継手ユニット２１９の回転軸線を中心にして設定要素２１５の第２の部分領域を回転させることによって、正しい位置にもたらされなければならない。
【００７９】
図８に示す設定要素２１５の代わりに、１つのマーキング線しか持たない他の調整要素２１８を設けてもよく、この場合にそのマーキング線は設定要素の正しい位置を示す。
【００８０】
図９には、揺動アームユニット３０６の代替実施例と、磁石ユニットでの取付要素１８の取付位置を設定および／または調整するための設定要素の代替実施例とが示されている。
【００８１】
設定ユニット１０２の揺動アームユニット３０６は複数のレーザビームユニット３０４，３０５を有し、これらのレーザビームユニットは揺動アームユニット３０６の長手方向に沿った一方の同じ端部領域３０８に配置されている。レーザビームユニット３０４，３０５とは反対側の揺動アームユニット３０６の端部領域には、揺動アームユニット３０６が基板ユニット１０１に回転可能に支持されている。
【００８２】
レーザビームユニット３０４，３０５を配置するために揺動アームユニット３０６はウエブ状突設部材３０９を有し、このウエブ状突設部材３０９は、基板ユニット１０１とは反対側の端部領域３０８から揺動アームユニット３０６の長手方向に対して垂直に突出する。このウエブ状突設部材３０９は、位置設定装置１００が磁石ユニット１１に取り付けられた状態で、揺動アームユニット３０６から磁石ユニット１１に向かって突出している。２つのレーザビームユニット３０４が揺動アームユニット３０６の端部領域３０８に並べて配置され、２つのレーザビームユニット３０５がウエブ状突設部材３０９に並べて配置されている。レーザビームユニット３０４，３０５は、レーザビームユニット３０４，３０５の動作時に、揺動アームユニット３０６の端部領域３０８に配置された１つのレーザビームユニット３０４の少なくとも１つのレーザビーム３１０と、ウエブ状突設部材３０９に配置された１つのレーザビームユニット３０５の少なくとも１つのレーザビームとが交点を有するように配置されている。両レーザビーム３１０によって、基板ユニット１０１の主広がり面１１０に対してほぼ垂直に向けられている調整面が形成される。更に、揺動アームユニット３０６には銘板３１１が設けられており、この銘板により、使用者は、磁石ユニット１１での種々の取付要素１８の取付位置を調整および／または設定するための種々のレーザビームユニット３０４，３０５の組合せを読み取ることができる（図９参照）。
【００８３】
レーザビームユニット３０４，３０５の他の実施形態ならびに基板ユニット１０１への揺動アームユニット３０６の他の配置は、図３乃至図７におけるレーザビームユニット１０４，１０５および揺動アームユニット１０６に対する実施例に対応する。
【００８４】
更に、図９に部分的に示された位置設定装置１００は代替的な設定要素３１５を含み、この設定要素３１５は、磁石ユニット１１にハウジング外装１５を取り付けるべく取付要素１８の取付位置を設定および／または調整するために、取付要素１８の収容部内に配置されている。設定要素３１５は、この実施例では、光学的な光通路を有し、その光学的な光通路は、取付要素１８の取付位置において、揺動アームユニット３０６、特にウエブ状突設部材３０９に配置されたレーザビームユニット３０５のレーザビーム３１０の放射経路内に配置されている。
【００８５】
更に、設定要素３１５は調整要素３１７を有し、調整要素３１７は揺動アームユニット３０６に配置されたレーザビームユニット３０４のレーザビーム３１０用の取付要素１８の取付位置内に標的位置をマーキングする調整要素３１７を有する。調整要素３１７は、設定要素３１５の中に刻印および／または切削加工した調整用十字によって形成されているとよい。この実施例において、設定要素３１５は例えばプレキシガラスからなる透明カバーを含み、調整要素３１７は印刷された紙として透明カバーの背後に配置されている。更に、透明カバーが調整用十字を印刷されることも考えられ得る。このようにして設定要素３１５の範囲内、特に光学的な光通路の範囲内でのレーザビームユニット３０５のレーザビーム３１０の可視度が高められる。
【符号の説明】
【００８６】
１０        磁気共鳴装置
１１        磁石ユニット
１２        主磁石
１４        撮影領域
１５        ハウジング外装
１６        患者
１７        患者寝台装置
１８        取付要素
１９        設定要素
２０        傾斜磁場コイルユニット
２１        傾斜磁場制御ユニット
２２        高周波アンテナユニット
２３        高周波アンテナ制御ユニット
２４        制御ユニット
２５        表示ユニット
２６        入力ユニット
２７        収容部
２８        位置決めレーザユニット
１００      位置設定装置
１０１      基板ユニット
１０２      取付ユニット
１０３      設定ユニット
１０４      レーザビームユニット
１０５      レーザビームユニット
１０６      揺動アームユニット
１０７      長手方向
１０８      端部領域
１０９      回転軸線
１１０      主広がり面
１１１      係止要素
１１２      係止要素
１１３      ウエブ状突設部材
１１４      レーザビーム
１１５      設定要素
１１６      差込部
１１７      調整要素
１１８      調整要素
１１９      継手ユニット
１２１      調整要素
１２２      調整面
１２３      調整マーキング
１２４      レーザビームユニット
１２５      Ｌ字形保持部材
１２６      レーザビーム
１２７      枠ユニット
１２８      縦材
１２９      横材
１３２      取付手段
１３３      安全部材
１３４      支持部材
１３５      角部領域
１３６      締付部材
１３８      スライドガイド
１３９      ガイド部材
１４０      長孔
１４１      支持部材
１４２      長穴
１４３      操作部材
１４４      ガイド部材
１４５      取付手段
１４６      角部領域
１４７      ウエブ状突設部材
１４８      停止部材
２１５      設定要素
２１６      差込部
２１７      調整要素
２１８      調整要素
２１９      継手ユニット
２２０      マーキング
３０４      レーザビームユニット
３０５      レーザビームユニット
３０６      揺動アームユニット
３０８      端部領域
３０９      ウエブ状突設部材
３１０      レーザビーム
３１１      銘板     
３１５      設定要素
３１７      調整要素
【図１】
2014136159.tif 000003
【図２】
2014136159.tif 000004
【図３】
2014136159.tif 000005
【図４】
2014136159.tif 000006
【図５】
2014136159.tif 000007
【図６】
2014136159.tif 000008
【図７】
2014136159.tif 000009
【図８】
2014136159.tif 000010
【図９】
2014136159.tif 000011